(57)【特許請求の範囲】
【請求項１】
複数の測定チャンネルの測定値とアラーム設定値とを比較して各測定チャンネル毎にアラーム発生の有無を表示するアラーム表示装置において、
互いに連動したアラーム一覧表示画面と時間軸を有し測定値をグラフ表示する測定値表示画面を備え、
前記アラーム一覧表示画面は各測定チャンネルのアラーム設定レベル毎にアラームＯＮ，ＯＦＦ時刻を対にして一覧表示し、
前記アラームの一覧表示から選択された少なくとも一つのアラームＯＮ，ＯＦＦ時刻に基づいて前記測定値表示画面に表示されるグラフの時間幅のカーソル範囲を設定し、アラームＯＮ，ＯＦＦ時刻がこのカーソル範囲で設定された時間幅と重なるアラームを一覧表示から選択して識別表示することを特徴とするアラーム表示装置。
【請求項２】
アラームの一覧表示順序は、任意であることを特徴とする請求項１記載のアラーム表示装置。
【請求項３】
前記測定値表示画面に表示される時間幅のカーソル範囲を設定するアラームの表示形態と、カーソル範囲で設定された時間幅と重なるアラームの表示形態とを異ならせることを特徴とする請求項１記載のアラーム表示装置。
【発明の詳細な説明】
【０００１】
【発明の属する技術分野】
本発明はアラーム表示装置に関し、詳しくは、計測器やプロセス制御システムなどにおいて用いられる、予め設定された設定値に対する測定信号の測定値の大小関係に基づいて測定信号の異常の有無をアラーム情報として表示するアラーム表示装置の改良に関するものである。
【０００２】
【従来の技術】
図８，図９はレコーダにおける測定値に対する従来のアラーム発生状況の表示例図である。図８はアラームの発生状況をログ形式で一覧表示するログ表示画面例を示し、図９は測定値をトレンドグラフで表示するとともにアラーム発生状況もグラフィック表示するグラフ表示画面例を示していて、これらの画面に表示されるカーソルは互いに連動して変化する。
【０００３】
例えば、図８のログ表示側で所望のアラームデータ範囲を選択すると、その選択範囲の先頭時刻データと最後時刻データが図９のグラフ表示側の時間幅を設定するカーソル範囲に反映される。逆に、図９のグラフ表示側においてカーソルで時間幅を範囲選択した場合には、そのカーソル範囲に含まれるアラームのＯＮ，ＯＦＦデータが図８のログ表示側で選択表示される。
【０００４】
具体的には、図８のログ表示では、測定チャンネルＣＨ０１のレベルＬ１のＨアラームが「１０：３５：２１．７５０」の時点でＯＮになり、「１０：３５：５０．０００」の時点でＯＦＦになるまでの間に発生した他の測定チャンネルＣＨ３２とＣＨ３１のアラームのＯＮ，ＯＦＦ発生状況を時刻順に表示している。
これに連動して、図９では、測定チャンネルＣＨ０１の測定値ＭＶの変化トレンドと、レベルＬ１のアラーム設定値ＳＶ（１．５００Ｖ）に対するアラームＯＮ，ＯＦＦの発生区間表示ＺＮと、アラームＯＮ，ＯＦＦ時刻に対応するカーソルＣＡ，ＣＢなどを表示している。
【０００５】
【発明が解決しようとする課題】
しかし、図８のログ表示は、もともとアラームＯＮ，ＯＦＦをリアルタイムに表示することを目的とするものであるため、アラームＯＮ，ＯＦＦを別々に表示している。
このため、図８のログ表示画面から各測定チャンネルのアラーム発生区間を直観的に把握することは困難であり、記録されている測定データを後で参照する場合の表示画面としては不便である。
また、図８のアラームログ表示と図９の測定値グラフ表示とを連動させる都合上、図８のアラームログ表示の順序は時系列順にならざるを得ないという問題点もある。
【０００６】
本発明はこれらの問題点に着目したものであり、その目的は、各測定チャンネルのアラーム発生区間を直観的に把握できるとともに、ログ表示におけるアラーム配列の自由度の高いアラーム表示装置を実現することにある。
【０００７】
【課題を解決するための手段】
このような目的を達成する請求項１の発明は、
複数の測定チャンネルの測定値とアラーム設定値とを比較して各測定チャンネル毎にアラーム発生の有無を表示するアラーム表示装置において、
互いに連動したアラーム一覧表示画面と時間軸を有し測定値をグラフ表示する測定値表示画面を備え、
前記アラーム一覧表示画面は各測定チャンネルのアラーム設定レベル毎にアラームＯＮ，ＯＦＦ時刻を対にして一覧表示し、
前記アラームの一覧表示から選択された少なくとも一つのアラームＯＮ，ＯＦＦ時刻に基づいて前記測定値表示画面に表示されるグラフの時間幅のカーソル範囲を設定し、アラームＯＮ，ＯＦＦ時刻がこのカーソル範囲で設定された時間幅と重なるアラームを一覧表示から選択して識別表示することを特徴とする。
【０００８】
請求項２の発明は、請求項１記載のアラーム表示装置において、アラームの一覧表示順序は、任意であることを特徴とする。
【０００９】
請求項３の発明は、請求項１記載のアラーム表示装置において、
前記測定値表示画面に表示される時間幅のカーソル範囲を設定するアラームの表示形態と、カーソル範囲で設定された時間幅と重なるアラームの表示形態とを異ならせることを特徴とする。
【００１０】
請求項４の発明は、請求項３記載のアラーム表示装置において、時間幅のカーソル範囲を設定するアラームの表示形態と、カーソル範囲で設定された時間幅と重なるアラームの表示形態とを異ならせることを特徴とする。
【００１１】
これらにより、各測定チャンネルのアラーム設定レベル毎のアラームＯＮ，ＯＦＦの状態を、的確に直観的に把握できる。
そして、複数のアラーム情報を一覧表示するのにあたりアラームのＯＮ，ＯＦＦ時刻の制限を受けることなく全く任意に配列でき、従来のカーソルによる時間範囲指定と同様にアラーム一覧中から指定されたアラームの所定の時間範囲と重なる他の少なくとも一つのアラームをアラーム一覧中から選択して識別表示できる。
【００１２】
【発明の実施の形態】
以下、図面を用いて本発明の実施の形態を説明する。
図１は本発明に基づくアラームの一覧表示例である。図１に示すように、本発明では、各測定チャンネルのアラーム設定レベル毎にアラームＯＮ，ＯＦＦ時刻を対にして一覧表示している。
例えば測定チャンネルＣＨ０１のレベルＬ１のＨアラームについては「１５：４８：４９．７５０」の時点でＯＮになって「１６：４９：１７．６２５」の時点でＯＦＦになったことを対にして一列表示している。なお、これら各時刻データに続く［  ］内の値は、測定データのサンプリング番号である。
また、Ｈアラームは青色の上向き矢印で示し、Ｌアラームは赤色の下向き矢印で示している。
【００１３】
このように各測定チャンネルのアラーム設定レベル毎にアラームＯＮ，ＯＦＦ時刻を対にして一覧表示しているので、それぞれのアラームＯＮ，ＯＦＦ時刻を読み取ることで、従来のように一覧表示の中から該当測定チャンネルの所定のアラーム設定レベルのアラームＯＮ時刻とアラームＯＦＦ時刻を個別に探し出して読み取ることなく、アラーム発生区間を容易かつ明確に把握認識できることになる。
【００１４】
図２は本発明に基づいてアラーム一覧表示からグラフ表示のような測定値表示に連動させる場合の概念図、図３はその処理の流れを説明するフローチャートである。
１）（ａ）の一覧表示画面において、例えば縦縞を付けたアラーム３のＯＮ，ＯＦＦ時刻ｔ６，ｔ７を選択し（ステップＳＰ１）、この選択アラームに基づいて時間幅のカーソル範囲を計算する（ステップＳＰ２）。これにより、（ｂ）のグラフ表示画面に示すように、アラーム３の波形のＯＮ，ＯＦＦ時刻ｔ６，ｔ７に基づいてカーソル範囲が設定される。なお、複数のアラームを選択した場合には、その中で最初にＯＮになったところから最後にＯＦＦになったところまでがカーソル範囲になる。
【００１５】
２）このようにして設定されたカーソル範囲に重複するアラーム（（ｂ）の例では０，２，４）を求める（ステップＳＰ３）。
３）アラーム一覧表示では（ｃ）に示すように、１）で指定した縦縞を付けたアラーム３と２）で求めた横縞を付けたアラーム０，２，４とを強調して識別表示する（ステップＳＰ４）。
４）なお、必要に応じて、測定値表示画面において、カーソルを移動させる（ステップＳＰ５）。
【００１６】
図４はこのようにしてアラーム選択されたアラーム一覧表示画面例図である。ポインタに挟まれている「測定チャンネルＣＨ３２／レベルＬ２／Ｌアラーム」が１）で選択したアラームで、バックがハイライトになっている「測定チャンネルＣＨ０１／レベルＬ２／Ｌアラーム」と「測定チャンネルＣＨ３１／レベルＬ１／Ｈアラーム」が２）で求めたアラームである。
【００１７】
図５は本発明に基づいてグラフ表示のような測定値表示画面からアラーム一覧表示に連動させる場合の概念図、図６はその処理の流れを説明するフローチャートである。
１）図５（ａ）の測定値表示画面において、アラーム３の選択により設定されたＯＮ，ＯＦＦ時刻ｔ６，ｔ７に基づくカーソル範囲に重複するアラーム（この例では０，２，４）を求める（ステップＳＰ１）。
２）アラーム一覧表示画面において（ｂ）に示すように１）で求めたアラーム０，２，４をアラーム３とともに例えば縦縞を付けたように強調して識別表示する（ステップＳＰ２）。
【００１８】
実際に測定値表示に連動して表示されたアラーム一覧表示画面の例を図７に示す。この場合、図４のようなポインタは表示されない。
【００１９】
図４および図７の例から明らかなように、アラーム一覧表示においては、該当するアラームを識別可能なように強調表示している。これにより、該当アラームがアラーム一覧の中に分散して存在していても問題なく表示できる。従って、アラーム一覧表示においてはアラームを任意の順序（必要な条件で整列するなど）で表示しても、測定値表示と矛盾なく連動できる。
【００２０】
【発明の効果】
以上説明したように、本発明によれば、各測定チャンネルのアラーム発生区間を直観的に把握できるとともに、ログ表示におけるアラーム配列の自由度の高いアラーム表示装置が実現できる。
【図面の簡単な説明】
【図１】本発明に基づくアラームの一覧表示例である。
【図２】アラーム一覧表示から測定値表示に連動させる場合の概念説明図である。
【図３】図２の処理の流れを説明するフローチャートである。
【図４】アラーム選択されたアラーム一覧表示画面例図である。
【図５】測定値表示からアラーム一覧表示に連動させる場合の概念説明図である。
【図６】図５の処理の流れを説明するフローチャートである。
【図７】測定値表示に連動して表示されたアラーム一覧表示画面例図である。
【図８】従来のアラーム一覧表示画面例図である。
【図９】従来のグラフ表示画面例図である。
【符号の説明】
ＭＶ  測定値
ＳＶ  アラーム設定値
ＣＡ，ＣＢ  カーソル線
ＺＮ  アラーム発生区間表示
【図１】
0004273515.tif 000002
【図２】
0004273515.tif 000003
【図５】
0004273515.tif 000004
【図３】
0004273515.tif 000005
【図６】
0004273515.tif 000006
【図４】
0004273515.tif 000007
【図７】
0004273515.tif 000008
【図８】
0004273515.tif 000009
【図９】
0004273515.tif 000010